(57)【特許請求の範囲】
【請求項１】
釣竿部材と、
該釣竿部材に取付けられ、ライン（15）が通過する複数のガイドリング（10〜14）と、
一端をトップリング（７）に固着され、他端を検出表示装置に固着され、弛みなしに延びたトリガワイヤ（４）と、
前記釣竿部材の竿尻部またはその近傍に固着され、前記トリガワイヤ（４）が弛んだことを検出すると魚の当たりを表示する前記検出表示装置（３）とを有することを特徴とする当たり表示装置付き釣竿。
【請求項２】
前記トリガワイヤ（４）が、少なくとも前記ガイドリング（10〜14）の一つを通過することを特徴とする請求項１に記載の表示装置付き釣竿。
【請求項３】
前記検出表示装置（３）が、装着手段（27〜29）によって前記釣竿部材に取り外し可能に装着され、かつ電源用の空間を備えたハウジング（22）を有し、
前記ハウジング（22）が、その内部にスプリング（17）によってバネ負荷がかけられた移動可能な接触子要素（16）を有し、前記接触子要素（16）が、その一端に前記トリガワイヤ（４）を取付けるための手段を有し、かつ、前記スプリング（17）によって前記接触子要素（16）が電源接触子（19）との電気的な接触を確立するように付勢され、前記トリガワイヤ（４）を取付けた前記釣竿部材が曲げられることにより、電力を前記信号送信手段（18）に供給することができるようにしたことを特徴とする請求項１に記載の表示装置付き釣竿。
【請求項４】
前記検出表示装置が、検出感度調整部を有し、該検出感度調整部は、前記接触子要素（16）及び電源接触子（19）間の相互の間隔を変化させて第１スプリング（17）の反発力を調整し、前記釣竿部材の長手方向に回転移動可能なネジ付き調整ブッシュ（26）を備えていることを特徴とする請求項３に記載の表示装置付き釣竿。
【請求項５】
前記調整ブッシュ（26）が、第１スプリング（17）の初期応力と、前記接触子要素（16）の前記間隔とを調節できるように、ハウジング（22）に沿って内側方向及び外側方向に回転移動可能であることを特徴とする請求項４に記載の表示装置付き釣竿。
【請求項６】
前記検出表示装置が、第２スプリング（21）によりバネ負荷がかけられている前記信号送信手段（18）を作動させるためのプッシュボタン（20）を備え、それにより、電源接触子（19）が電気的接触を形成した時に信号を発生することを特徴とする請求項３に記載の表示装置付き釣竿。
【請求項７】
前記プッシュボタン（20）、前記プッシュボタン（20）に負荷を与えるための前記第２スプリング（21）、前記電源、前記信号送信手段（18）、前記接触子要素（16）、前記接触子要素（16）の前記第１スプリング（17）、及びピストン竿（８）が、前記ハウジング（22）の中で直線状に並べられていることを特徴とする請求項６に記載の表示装置付き釣竿。
【請求項８】
前記装着手段（27〜29）が、前記釣竿部材を取り囲むようにネジ（29）又は類似の部材によって相互に締め付けられる二つの半円状要素（27,28）から成ることを特徴とする請求項３に記載の表示装置付き釣竿。
【発明の詳細な説明】
本発明は、釣竿、有利には投げ釣り用竿又は類似の竿に関する。前記釣竿は、のガイドリングを有し、また、魚の当たりを検知する表示装置を備え、前記表示装置は、釣竿が予め設定された量より大きく曲げられた時に信号を発信する信号送信手段と、バネ負荷がかけられたトリガワイヤ又は類似の要素を備えた釣竿の曲がりに反応できる装置と、表示感度を予め設定するための調整装置とを備え、信号送信手段及び調整装置は、竿尻部に取り外し可能に装着するために独立した一本の部品に設計されている。前記釣竿は、ボート又は類似の船からルアーをキャスティングするのに特に適しているが、その使用法は、これに制限されるものではない。また、この種の釣竿は、氷上／橋上での釣りでも使用され得る。竿は、魚の当たりがあった時に表示信号を釣り人に与える。新規の装置によって、釣り人は、当たりの初期時にラインを引き上げることにより当たりに対抗することができる。魚が食いつく（竿が強く引っ張られ、ラインが張る）瞬間に直ぐに引き上げることにより、ルアーの針が魚の口を貫く。この動作により、針の先端に捕らえられた魚は針のかえしにより完全に引っかけられ得る。その後、針が深く貫通し、かえしが魚の顎から針が外れるのを防ぐ。
米国特許明細書第4,458,438号から公知の技術に、竿に魚当たり表示装置が組み付けた釣竿がある。この構造は、特別な設計の竿を必要とし、従って、コストが高くなる。表示装置を構成要素の一部は釣竿の握り部に一体にされ、他の部分は竿尻部に、さらに他の部分は竿の先端部分に配置され、また、部分的に竿の外側に配置される。このような複数の補助組立体を備えた装置は、製造上高価であり、また、じゃまになり易く、使いにくい。竿の先端部分には、表示感度を予め設定するための調整装置が設けられている。表示感度の調整の必要性は、例えば、異なる種類のルアーを使用する場合に生じる。竿先端に調整装置が位置し、従って使用者から遠く離れているため、調整操作を行うことが困難である。さらに、調整装置のラチェット及び爪機構が竿の先端に突出しているので、装置のラチェットにラインが絡まる危険がある。
米国特許明細書第4,051,616号は、表示装置を備えた釣竿を開示している。表示装置は、歪みゲージを有し、その出力信号で表示装置の信号送信手段を制御する。歪みゲージは傷つきやすい構成要素として竿の表面上に配置されるので、損傷を受け易い。
本発明の目的は、上記した欠点を解決することのできる簡単な釣竿−表示装置組合体を提供することである。本発明の目的は、トリガワイヤを、ラインガイドリングに、ガイドリングの全て又は幾つかだけを通過するように通すことにより達成される。本発明による釣竿の好ましい実施例は、添付の請求の範囲第２項〜第８項で説明される。
本発明は、釣竿が曲がった時に、トリガワイヤの、その竿の先端の近くの固定点から表示装置までの距離が、竿の曲がりによって短くされ、それにより、表示装置に固定されたトリガワイヤの端部が、ワイヤのバネ付勢した端部の固定のために変移され、前記ワイヤの端部の変移が表示装置の信号送信手段を作動させるようにラインガイドリングに通されるトリガワイヤを利用する概念を基礎としている。
本発明による表示装置の重要な効果は、従来技術の及び一般的な釣竿や投げ釣り用竿に取り付けることができ、そのトリガ感知調整装置の使用が簡単で、また、複雑でなく、コンパクトで、低コストな構造で、実際の使用において損傷しにくいことにある。これらの特性のため、釣竿は捕獲量が多くなる。それは、メンテナンスが簡単で、かつ役立つ寿命が長い。
本発明による釣竿の最大の利益は、竿が一般的な構造でよく、表示感度調整装置が簡単に使用でき、ラインの絡まりの危険が排除されていることである。調整装置は簡単で、コンパクトで、安価に製造できる構造で、さらにその作用が実際に信頼性がある。これらの特徴により、本発明による竿を使用すると大漁となり、また、簡単な操作及び長い寿命が提供される。
以下に、本発明は、添付図面を参照して有利な実施例によってより詳細に説明される。
第１図は、本発明による投げ釣り用竿を示している。
第２図は、発明の本質の細部を説明する投げ釣り用竿の先端部の拡大図を示している。
第３図は、第１図の投げ釣り用竿に用いられた表示装置の長手方向断面図を示している。
第１図を参照すると、表示装置３と組み合わせられた投げ釣り用リール２を有する投げ釣り用竿１が示されている。表示装置３は一般的な釣竿１上に設けられる独立した付属品として形成される。表示装置３は、竿１の可撓性の竿尻部６における前グリップ５に近い竿尻端部の辺りに装着されている。装着する手段の詳細は第３図に示されている（符号27〜29参照）。
表示装置３は信号送信手段を備えている。この信号送信手段は、投げ釣り用竿が、予め調整された調整可能な限界量より大きく曲げられた時に信号を送信する。竿の曲げ量は、投げ釣り用竿と協働するトリガワイヤ４に伝えられ、信号送信手段は、発明の重要な核心を形成する。トリガワイヤ４は、その一端が竿のトップリング７に結合され、また、その反対側の端部は、表示装置のバネ付勢されたピストン竿８の先端に形成された孔９に結合される（第３図参照、本図には第１図の表示装置の断面図が示されている。）。図示実施例では、トリガワイヤ４は、トップリング７の最も近くに配置されたガイドリング14を除いた全てのラインガイドリング７、10〜13を通過している。竿が曲げられると、トリガワイヤ４は、ガイドリング14を通過するライン15（第２図参照）から外れて引っ張られる。トリガワイヤ４を、竿の先端に近いガイドリング（例えば、ガイドリング12−14）の少なくとも一つを通さずに残しておくことにより、ワイヤのより直線的な軌道が、ライン15の軌道よりかなり短くなる。この軌道の差Ａ＝Ｂ＋Ｃ−Ｄは、数ミリメートルのオーダである。ワイヤのより直線的な軌道のために、表示装置のバネ付勢ピストン竿８（第３図参照）は、図面上左側に、即ち、表示装置の本体の内部の方に移動する。竿の曲げ量がさらに増えるとピストン竿８が十分に左側に移動するので、ピストン竿の左側に位置するピストン型接触子要素16も、スプリング17によって及ぼされる伸長力により左側に移動され、それにより、信号送信手段18の電源接触子19が反対側の接触子要素に電気的に接触される。その結果、表示装置は信号を発生し、この信号により、表示装置のON/OFF式作動スイッチプッシュボタン20がON位置になり、信号送信手段が用意される。信号の継続時間は、典型的には数秒のオーダである。音波信号の継続調整が装置に付加され得る。この信号は、作動スイッチプッシュボタン20をOFF位置にセットするこよによって無になる。従って、作動スイッチがOFF位置にある時は、電源接触子19が電気的に接触して何の信号も発生されない。作動スイッチプッシュボタン20の瞬間的な動作は、リターンバネ21によって提供される。符号30は作動スイッチの接触子先端を示している。
トリガワイヤ４以外の表示装置の構成要素は、表示装置ハウジング22の中に収納されている。ハウジング22は、シールリング23,24によって周囲がシールされている。符号25は、内ネジが切られたブッシュ型キャップを示している。ハウジング22の内部に適用された信号送信手段は、図面では独立して図示しておらず、また、信号送信手段に必要な電源も独立して図示されていない。（米国特許明細書第4,458,438号に開示されているような）一般的な音響的及び／又は視覚的表示器が信号送信手段として使用され得ることは明らかである。必要な電力はバッテリにより与えられ得る。
表示感度調整装置は、内ネジが切られた調整ブッシュ26を備え、このブッシュ26は、スプリング17の張力の初期値や、接点子要素16と電源接触子19との間の相互間の距離を調整するようにハウジング22に沿って内方及び外方に回転可能にされている。ピストン竿８の周囲に適用されたシール14は調整ブッシュを液密にする。
第３図を参照すると、表示装置を釣竿１に装着する手段は、竿を取り囲むようにネジ29又は類似の部材によって相互に締め付けられるようにされた二つの半円形要素27,28から成る。
本発明による釣竿を使用する場合、ルアーを水中に落として、調整ブッシュ26をゼロ位置にセットする。その後、作動スイッチプッシュボタン20を押すことにより表示装置を作動させる。調整ブッシュ26は、装置が信号を発生するまでは、内側に向けて回転されている。この時、装置は前調整される。次ぎに、調整ブッシュ26は僅かに外側に向けて回転され、作動スイッチプッシュボタン20が再度押される。プッシュボタンを押した時に信号が発生しなければ、前調節のセットが正しく完了している。これらの予備操作の後、魚の当たりがあり、そして、その結果竿が曲がり、接触子要素16が僅かに左方向に移動すると、接触子要素が電源接触子19に接触し、それにより、信号が発生する。その時、釣り人は、ルアーの針に確実に魚を捕らえるために竿を引き上げることができる。
上記した説明では、本発明は、その好ましい実施例を単に一つ例に挙げて説明されているが、本発明の細部は、添付した請求の範囲の概念及び範囲内の他の方法でも実施され得ることは理解されなければならない。例えば、トリガワイヤは任意の引き伸ばされた可撓性要素により置き換えられ得る。孔９の代わりに、任意の適当な手段がトリガワイヤ４を固定するために用いられ得る。竿上の表示装置の装着位置は変更してもよい。さらに、表示装置は、釣り人のボートの内部に設けられた、魚の当たりをシグナルランプにより表示する表示パネルに、表示装置の信号を伝達するためのワイヤレス装置又は同等の伝達手段に接続され得る。さらに、ボートは音声表示器を装備し得る。複数の釣竿を監視する場合、各竿に専用のシグナルランプが設けられ得る。単一の又は複数のワイヤがトリガワイヤとして使用され得る。
【図１】
0003662588.tif 000002
【図２】
0003662588.tif 000003
【図３】
0003662588.tif 000004